(57)【要約】【課題】コンピュータで実行することにより、被治療者の病気の治療を促進する上で有利な医療用コンテンツ提供プログラムを提供する。【解決手段】医療用コンテンツ提供プログラムが起動されると、コンピュータ１６がネットワーク１２を介してサーバ１４に接続し、治療説明用コンテンツＣ１および病気説明用コンテンツＣ２のダウンロードを要求する。サーバ１４はコンテンツＣ１、Ｃ２をネットワーク１２経由でコンピュータ１６に供給する。コンピュータ１６は、ダウンロードしたコンテンツＣ１、Ｃ２をハードディスク装置１６１２に格納する。制御手段１６０４は、ハードディスク装置１６１２に格納されているコンテンツＣ１、Ｃ２を読み出すことにより、表示手段１６０６によってコンテンツＣ１、Ｃ２の絵を表示させるとともに、音声出力手段によってコンテンツＣ１、Ｃ２の音声を出力させる。【選択図】        図１
2004283316.tif 000002
【特許請求の範囲】
【請求項１】
病気が治療される治療過程を経時的に絵を用いて説明する治療説明用コンテンツが予め格納された記憶手段から前記治療説明用コンテンツを読み出す治療説明用コンテンツ読み出しステップと、
前記読み出した治療説明用コンテンツを表示手段によって出力させることにより前記被治療者に治療説明用コンテンツを視覚的に伝える治療説明ステップと、をコンピュータに実行させる医療用コンテンツ提供プログラムであって、
前記治療説明用コンテンツは、前記被治療者が該治療説明用コンテンツを見ることで被治療者が治療過程を経時的に理解し、これにより前記病気の治療が促進されるように構成されている、ことを特徴とする医療用コンテンツ提供プログラム。
【請求項２】
前記治療説明用コンテンツの絵は、動画、静止画、および文字の少なくとも１つを含むことを特徴とする医療用コンテンツ提供プログラム。
【請求項３】
前記治療説明用コンテンツは、人体に投与された薬剤が人体に作用する治療過程を順次説明するものであることを特徴とする請求項１記載の医療用コンテンツ提供プログラム。
【請求項４】
前記治療説明用コンテンツは、神経系の働き、体内の細胞、体内の化学物質、あるいは神経伝達物質が病気を治療して正常に機能する過程を順次説明するものであることことを特徴とする請求項１記載の医療用コンテンツ提供プログラム。
【請求項５】
前記治療説明用コンテンツは、該治療説明用コンテンツの絵に対応する音声を含み、前記治療説明ステップは、前記読み出した治療説明用コンテンツの音声を音声出力手段によって出力させることにより前記被治療者に治療説明用コンテンツを聴覚的にも伝えることを特徴とする請求項１記載の医療用コンテンツ提供プログラム。
【発明の詳細な説明】
【０００１】
【発明の属する技術分野】
本発明は、被治療者の治療を促進する医療用コンテンツ提供プログラムに関するものである。
【０００２】
【従来の技術】
従来、被治療者は、病気治療のために治療薬を服用する際、効能書を読んで薬効を理解する程度のことしかしていない。
【０００３】
【発明が解決しようとする課題】
しかしながら、サブリミナル効果や暗示効果によって治療効果が促進されたり、自然治癒力や免疫力が向上されたりすることが知られている。
本発明はこのような事情に鑑みなされたものであり、その目的はコンピュータで実行することにより、被治療者の病気の治療を促進する上で有利な医療用コンテンツ提供プログラムを提供することにある。
【０００４】
【課題を解決するための手段】
本発明は、病気が治療される治療過程を経時的に絵を用いて説明する治療説明用コンテンツが予め格納された記憶手段から前記治療説明用コンテンツを読み出す治療説明用コンテンツ読み出しステップと、前記読み出した治療説明用コンテンツを表示手段によって出力させることにより前記被治療者に治療説明用コンテンツを視覚的に伝える治療説明ステップとをコンピュータに実行させる医療用コンテンツ提供プログラムであって、前記治療説明用コンテンツは、前記被治療者が該治療説明用コンテンツを見ることで被治療者が治療過程を経時的に理解し、これにより前記病気の治療が促進されるように構成されていることを特徴とする。
そのため、被治療者は治療説明用コンテンツによって治療薬が病気を治療していく過程を視覚的に理解でき、したがって、被治療者は治療説明用コンテンツを見ることで、いわゆるサブリミナル効果（暗示効果）を受けることができ、病気の治療を促進する上で有利となる。
【０００５】
【発明の実施の形態】
次に、本発明の治療用プログラムの実施の形態について図面を参照して説明する。図１は本発明の医療用コンテンツ提供プログラムをインターネット上のコンピュータによって実行する場合の構成を示すブロック図、図２は医療用コンテンツ提供プログラムの動作フローチャート、図３乃至図９はコンテンツを説明する絵の説明図である。
図１に示すように、インターネット１０は、無線および有線の通信回線を含むネットワーク１２と、ネットワーク１２と通信可能に接続されたサーバ１４と、ネットワーク１２と通信可能に接続されたコンピュータ１６を有している。
サーバ１４は、通信手段１４０２、記憶手段１４０４、制御手段１４０６などを備えている。
通信手段１４０２は、ネットワーク１２を介してコンピュータ１６と通信を行なうものである。制御手段１４０６は、通信手段１４０２および記憶手段１４０４の制御を行なうものである。
記憶手段１４０４は、本発明に係る治療説明用コンテンツＣ１や病気説明用コンテンツＣ２を格納している。
治療説明用コンテンツＣ１は、コンピュータ１６において病気が治療される治療過程を経時的に絵を用いて説明するものであり、前記絵には静止画、動画および文字が含まれている。また、本例では、治療説明用コンテンツＣ１に前記絵に対応する音声（例えば音声によるナレーションや音楽、あるいは種々の効果音など）が含まれている。そして、治療説明用コンテンツＣ１は、前記被治療者が該治療説明用コンテンツＣ１を見ることで被治療者が治療過程を経時的に理解し、これにより前記病気の治療が促進されるように構成されている。
病気説明用コンテンツＣ２は、コンピュータ１６において病気のメカニズムを絵を用いて説明するものであり、前記絵には静止画、動画および文字が含まれている。また、本例では、病気説明用コンテンツＣ２にも前記絵に対応する音声（人の声や音楽）が含まれている。
そして、サーバ１４は、制御手段１４０４が通信手段１４０２と記憶手段１４０６を制御することにより、記憶手段１４０６に記憶されている治療説明用コンテンツＣ１や病気説明用コンテンツＣ２をネットワーク１２経由で提供するＷｅｂサーバを構成している。また、サーバ１４に構築されたウェブサイトウェブサイトにアクセスすることで治療説明用コンテンツＣ１や病気説明用コンテンツＣ２のダウンロードができるように構成されている。
【０００６】
コンピュータ１６は、通信手段１６０２、制御手段１６０４、表示手段１６０６、音声出力手段１６０８、入力手段１６１０、ハードディスク装置１６１２、ＣＤ−ＲＯＭ装置１６１４、ＲＯＭ／ＲＡＭ１６１６などを備えている。
通信手段１６０２は、ネットワーク１２を介してサーバ１４と通信を行なうように構成されている。
表示手段１６０６は、静止画、動画、文字などを表示するディスプレイによって構成されている。
音声出力手段１６０８は、音声信号を生成する音声出力回路および音声出力信号に基づいて音声を発生するスピーカーから構成されている。
入力手段１６１０は、キーボードやマウスなどから構成され、所定の操作を行なうことができるように構成されている。
ハードディスク装置１６１２は、制御プログラムやデータが格納されている。ＣＤ−ＲＯＭ装置１６１４は、ＣＤ−ＲＯＭに記録されているデータやプログラムを読み取り可能に構成されている。
ＲＯＭ／ＲＡＭ１６１６は、ワーキングエリアを提供したり、一時的なデータの保持を行なうように構成されている。
本実施の形態では、本発明に係る医療用コンテンツ提供プログラムがＣＤ−ＲＯＭ１６１８に記録されており、該ＣＤ−ＲＯＭ１６１８をＣＤ−ＲＯＭ装置１６１４によって読み取ることにより、前記医療用コンテンツ提供プログラムがハードディスク装置１６１２にインストールされる。そして、制御手段１６０４は、前記医療用コンテンツ提供プログラムを実行することにより、通信手段１６０２、表示手段１６０６、音声出力手段１６０８、入力手段１６１０、ハードディスク装置１６１２、ＣＤ−ＲＯＭ装置１６１４、ＲＯＭ／ＲＡＭ１６１６の制御を行い、後述する動作を実行するように構成されている。
そして、コンピュータ１６は、制御手段１６０４が前記各部を制御することにより、サーバ１４に格納されている治療説明用コンテンツＣ１や病気説明用コンテンツＣ２をネットワーク１２経由で読み出すクライアントを構成している。
本実施の形態では、記憶手段１４０４、ハードディスク装置１６１２によって特許請求の範囲の記憶手段が構成されている。
【０００７】
次に、図２のフローチャートを参照してコンピュータ１６の動作について説明する。
なお、コンピュータ１６には医療用コンテンツ提供プログラムが予めインストールされているものとする。
また、本実施の形態では、治療の対象となる病気がインポテンス、すなわち勃起不全である場合について説明する。
治療を受けようとする被治療者は、コンピュータ１６を立ち上げ医療用コンテンツ提供プログラムを起動させる（ステップＳ１０）。
医療用コンテンツ提供プログラムが実行されると、コンピュータ１６は、通信手段１６０２によりネットワーク１２を介してサーバ１４に接続し、サーバ１４のウェブサイトにアクセスする（ステップＳ１２）。
そして、ウェブサイトに対して治療説明用コンテンツＣ１および病気説明用コンテンツＣ２のダウンロードを要求する（ステップＳ１４）。サーバ１４は前記要求に応じて治療説明用コンテンツＣ１および病気説明用コンテンツＣ２をネットワーク１２経由でコンピュータ１６に供給する。コンピュータ１６は、ダウンロードした治療説明用コンテンツＣ１および病気説明用コンテンツＣ２をハードディスク装置１６１２に格納する（ステップＳ１６）。
次に、制御手段１６０４は、ハードディスク装置１６１２に格納されている病気説明用コンテンツＣ２を読み出すことにより、表示手段１６０６によって病気説明用コンテンツＣ２の絵を表示させるとともに、音声出力手段１６０８によって病気説明用コンテンツＣ２の音声を出力させる（ステップＳ１８）。
【０００８】
ここで、病気説明用コンテンツＣ２を被治療者に伝える動作について詳細に説明する。
まず、図３に示すように、人体の神経系を示す絵が表示手段１６０６に表示される。ここでは、神経系が中枢神経系と末梢神経系に大別され、中枢神経系が脳と脊髄から構成され、末梢神経系が脳神経、頸神経、胸神経、腰神経、仙骨神経、尾骨神経を含むことなどがアニメーションなどの動画あるいは静止画によって説明されるとともに、絵による説明を補足する音声が音声出力手段１６０８から出力される。
なお、以下では、アニメーションなどの動画あるいは静止画および文字が表示手段１６０６によって表示されるとともに、音声による説明が音声出力手段１６０８から出力されることによって病気説明用コンテンツＣ２や治療説明用コンテンツＣ１が被治療者に伝えられ、個々の表示動作に関連して音声出力動作も行なわれる。
次に、図４に示すように、感覚器に与えられた感覚が大脳に受容される過程を示す絵が表示手段１６０６に表示される。ここでは、視覚、聴覚、嗅覚などの感覚が大脳に伝達される状況がアニメーションや音声によって説明される。
次に、図５に示すように、神経において情報が伝達される過程を示す絵が表示手段１６０６に表示される。ここでは、あるシナプスから別のシナプスに情報が伝達されるにあたって神経伝達物質が機能しており、神経伝達物質の挙動によって神経における情報の伝達が促進されたり、抑制されたりする状況がアニメーションや音声によって説明される。
次に、図６、図７、図８、図９に示すように、勃起のメカニズムを示す絵が表示手段１６０６に表示される。
すなわち、図６、図７に示すように、正常な勃起が生じる際に、感覚器、大脳皮質、神経系などを介してどのような情報がどのような順番で伝達されるかという神経系による情報の伝達のメカニズムがアニメーションや音声によって説明される。
次いで、図８、図９に示すように、勃起を指示する信号が中枢神経を経由して交感神経および副交感神経に伝達されると、これら交感神経および副交感神経の動きによって、血液中におけるサイクリックＧＭＰ（ｃＧＭＰ）の濃度が高まり、このサイクリックＧＭＰの作用によって平滑筋が弛緩され、これにより、輸入動脈Ａを介して海綿体Ｂに流入する血液量が増大して勃起が生じるというメカニズムがアニメーションや音声によって説明される。
そして、インポテンスという病気は、サイクリックＧＭＰ（ｃＧＭＰ）の作用がホスホジエステラーゼによって阻害されることにより、前記平滑筋が弛緩しないため、輸入動脈Ａを介して海綿体に流入する血液量が増大しないことによって生じていることがアニメーションや音声によって説明される。
このようにして病気説明用コンテンツＣ２が視覚的および聴覚的に被治療者に伝えられる。
次に、制御手段１６０４は、図２に示すように、ハードディスク装置１６１２に格納されている治療説明用コンテンツＣ１を読み出すことにより、表示手段１６０６によって治療説明用コンテンツＣ１の絵を表示させるとともに、音声出力手段１６０８によって治療説明用コンテンツＣ１の音声を出力させる（ステップＳ２０）。
【０００９】
ここで、治療説明用コンテンツＣ１を被治療者に伝える動作について詳細に説明する。
図８、図９に示すように、治療薬によって以下のＡ）、Ｂ）、Ｃ）の作用が生じることがアニメーションや音声によって説明される。
Ａ）インポテンスの治療薬Ｘが服用され、該治療薬Ｘの薬効成分であるシルデナフィルが腸管から吸収され血液中における濃度が高まる。
Ｂ）このシルデナフィルが前記ホスホジエステラーゼを阻害することにより、サイクリックＧＭＰが活性化される。
Ｃ）勃起を指示する信号が中枢神経を経由して交感神経および副交感神経に伝達されると、前記サイクリックＧＭＰが平滑筋に十分作用することにより、平滑筋が弛緩し輸入動脈Ａを介して海綿体Ｂに流入する血液量が増大することで勃起が生じる。
すなわち、治療説明用コンテンツＣ１が表示装置１６０６に表示されることにより、治療薬Ｘが服用されて腸管から吸収され、前記薬効成分が体内で機能する様子がわかりやすくかつリアルに被治療者に伝えられる。
これにより、薬効成分や該薬効成分によって活性化される体内の化学物質（ホルモン）や体内の細胞（例えば白血球）、あるいは神経伝達物質によって病気が治療される状態が詳細に治療被治療者に伝えられる。
このようにして治療説明用コンテンツＣ１が視覚的および聴覚的に被治療者に伝えられる。
【００１０】
したがって、本実施の形態によれば、サーバ１４から読み出されコンピュータ１６にダウンロードされた治療説明用コンテンツＣ１がコンピュータ１６によって被治療者に視覚的および聴覚的に伝えられる。これにより、被治療者は治療説明用コンテンツＣ１によって治療薬が病気を治療していく過程を視覚的に理解でき、したがって、被治療者は治療説明用コンテンツＣ１を見ることで、いわゆるサブリミナル効果（暗示効果）を受けることができ、病気の治療を促進する上で有利となる。
より詳細には、治療説明用コンテンツＣ１によって神経系の働き、体内の化学物質、体内の細胞、あるいは神経伝達物質が病気を治療して正常に機能する過程を視覚的および聴覚的に治療者に伝えることにより、被治療者が自らの神経系や体内の化学物質、体内の細胞、あるいは神経伝達物質を制御して治療を行なっているかのようなイメージを被治療者に与えて精神的によい影響（サブリミナル効果または暗示効果）を与えることができるため、被治療者の自然治癒力や免疫力を高める上で有利である。
また、被治療者が治療説明用コンテンツＣ１を繰り返し視聴して該治療用コンテンツＣ１の内容を暗誦できる程度に記憶すれば、治療説明用コンテンツＣ１を視聴せずに、治療説明用コンテンツＣ１の内容を思い出してイメージトレーニングを行なうことによりサブリミナル効果または暗示効果を強化することができ、被治療者の自然治癒力や免疫力を高める上でさらに有利となる。
また、被治療者の自然治癒力や免疫力を高めることにより、治療薬の服用量や投与量を減らすことができる。
さらに、このようにして被治療者の自然治癒力や免疫力が高められれば、治療薬を服用せずとも、治療説明用コンテンツＣ１を見ることでサブリミナル効果または暗示効果により病気を治療することも可能となる。
また、治療説明用コンテンツＣ１は、治療説明用コンテンツＣ１の絵に対応する音声を含み、その音声を音声出力手段１６０８によって出力させることにより被治療者に治療説明用コンテンツを聴覚的にも伝えるようにした。これにより、被治療者は治療説明用コンテンツＣ１による精神的影響（サブリミナル効果または暗示効果）を効果的に受けることができ、病気の治療を促進する上でより有利となる。
また、病気説明用コンテンツＣ２を被治療者に視覚的および聴覚的に伝えるようにしたので、病気のメカニズムを知ることができ、治療説明用コンテンツＣ１を理解する上で有利となる。
また、治療説明用コンテンツＣ１を繰り返し視聴すれば、精神的影響（サブリミナル効果または暗示効果）をより強く受けることができ、病気の治療を促進する上でさらに有利となる。
また、治療説明用コンテンツＣ１に含まれる音声として、前記絵を説明するナレーションや音楽あるいは効果音の他に、被治療者が罹患している病気を治療する効果が高い専用の音声、音楽、自然音、効果音を用いれば、当該病気を治療するためのサブリミナル効果や暗示効果を強化することができ、これにより治療を促進する上でさらに有利となる。また、治療説明用コンテンツＣ１に含まれる音声として、いわゆる癒し効果やリラックス効果を高めて脳波のα波を出し易くする効果を有する環境音楽や自然音などを併用すれば、暗示効果やサブリミナル効果を高める上でさらに好ましい。
また、治療説明用コンテンツＣ１に含まれる音声としてナレーションを用いる場合、例えば催眠術や精神療法としての催眠療法などに基づいて作成された言葉や文章によってナレーションを構成することにより、当該病気を治療するためのサブリミナル効果や暗示効果を強化することができ、これにより治療を促進する上でさらに有利となる。
【００１１】
次に第２の実施の形態について説明する。
第２の実施の形態が第１の実施の形態と異なるのは、複数の治療説明用コンテンツＣ１および病気説明用コンテンツＣ２がサーバ１４の記憶手段１４０４に格納されている点である。
図１０はサーバ１４の記憶手段１４０４に格納されている情報の模式図、図１１は第２の実施の形態における動作フローチャートである。なお、図１１において図２と同様のステップには同一の符号を付してその説明を省略する。
図１０に示すように、記憶手段１４０４には、例えば、ｎ種類の病名Ｎ（Ｎ１、Ｎ２、Ｎ３、……Ｎｎ）と、病名Ｎ毎に用いられる治療薬名Ｍ（Ｍ１、Ｍ２、Ｍ３、……、Ｍｎ）が関連付けて格納されている。さらに、記憶手段１４０４には、病名Ｎ毎に対応する治療説明コンテンツＣ１と病気説明コンテンツＣ２が関連付けて格納されている。
図１１に示すように、治療を受けようとする被治療者は、コンピュータ１６を立ち上げ医療用コンテンツ提供プログラムを起動させ（ステップＳ１０）、医療用コンテンツ提供プログラムが実行されることにより、コンピュータ１６は、ステップＳ１２でサーバ１４にアクセスする（ステップＳ１２）。
すると、サーバ１４は、図１０に示す病名Ｎおよび治療薬名Ｍを表形式で表現したリストを生成し、ネットワーク１２経由でコンピュータ１６に送信する（ステップＳ１３Ａ）。
コンピュータ１６は受信した前記リストを表示手段１６０６に表示する（ステップＳ１３Ｂ）。
そして、被治療者が入力手段１６１０を操作することで、目的の病名Ｎあるいは治療薬Ｍを選択すると、その選択された病名Ｎあるいは治療薬名Ｍがコンピュータ１６からサーバ１４に送信される（ステップＳ１３Ｃ）。
サーバ１４は、受信した病名Ｎあるいは治療薬名Ｍに対応する治療説明コンテンツＣ１と病気説明コンテンツＣ２を記憶手段１４０４から選択し、コンピュータ１６にダウンロードする（ステップＳ１３Ｄ）。
以下、図２と同様にステップＳ１８、Ｓ２０が実行される。
したがって、第２の実施の形態によれば、第１の実施の形態の効果に加えて、複数の病気から目的の病気を選択し、その病気に対応する治療説明用コンテンツＣ１および病気説明用コンテンツＣ２を視覚的および聴覚的に被治療者に伝えることができるので、被治療者が治療説明用コンテンツＣ１および病気説明用コンテンツＣ２を必要に応じて得ることができ、利便性を向上する上で有利である。
【００１２】
次に変形例について説明する。
第１、第２の実施の形態は、治療説明用コンテンツＣ１および病気説明用コンテンツＣ２をサーバ１４からコンピュータ１２にダウンロードしたが、前記治療用コンテンツ提供プログラムをコンピュータ１２にインストールすると同時に、治療説明用コンテンツＣ１および病気説明用コンテンツＣ２もコンピュータ１２のハードディスク装置１６１２に格納してもよい。
具体的には、前記治療用コンテンツ提供プログラムと、治療説明用コンテンツＣ１および病気説明用コンテンツＣ２とが記録されたＣＤ−ＲＯＭ１６１８を予め作成する。そして、このＣＤ−ＲＯＭ１６１８をコンピュータ１６のＣＤ−ＲＯＭ装置１６１４によって読み取ることによって、前記治療用コンテンツ提供プログラムのインストールと、治療説明用コンテンツＣ１および病気説明用コンテンツＣ２の格納を行なう。
本例では、ＣＤ−ＲＯＭ１６１８、ハードディスク装置１６１２によって特許請求の範囲の記憶手段が構成されている。
この場合には、コンピュータ１６がネットワーク１２に接続できない環境であっても第１、第２の実施の形態と同様の効果を奏することができる。
また、治療用コンテンツ提供プログラム、治療説明用コンテンツＣ１および病気説明用コンテンツＣ２を記録する記録媒体はＣＤ−ＲＯＭに限定されるものではなく、種々の光ディスク（光磁気ディスクを含む）、磁気ディスク、磁気テープ、メモリカードであってもよいことは勿論である。
また、治療用コンテンツ提供プログラムと、治療説明用コンテンツＣ１と、病気説明用コンテンツＣ２とは、単一の記録媒体に記録されていてもよいし、別々の記録媒体に記録されていてもよい。
また、治療用コンテンツ提供プログラムは予め記録媒体に記録されていてもよいし、インターネットやＬＡＮなどのネットワークを介してサーバからクライアント側のコンピュータに配信されるものであってもよい。
また、第１、第２の実施の形態では、治療対象として病気を想定したが、もちろんダイエットや種々の体質改善などを目的として治療説明用コンテンツＣ１および病気説明用コンテンツＣ２を構成してもよい。
また、治療薬として通常の薬剤の他にハーブや薬草、あるいは治療効果を有する食品などを用いてもよいことは無論である。
【００１３】
また、第１、第２の実施の形態では、治療説明用コンテンツＣ１および病気説明用コンテンツＣ２を表示する手段としてコンピュータを用いたが、本発明の医療用コンテンツ提供プログラムは、これらのコンテンツを表示できる表示手段を備え、かつ、ネットワーク１２を介してサーバ１４と通信可能な携帯電話機やＰＤＡ（Ｐｅｒｓｏｎａｌ  Ｄｉｇｉｔａｌ  Ａｓｓｉｓｔａｎｔｓ）など、種々の通信端末装置や電子機器に適用可能である。
【００１４】
【発明の効果】
以上説明したように本発明によれば、コンピュータで実行することにより、被治療者の病気の治療を促進する上で有利な医療用コンテンツ提供プログラムを提供することができる。
【図面の簡単な説明】
【図１】本発明の医療用コンテンツ提供プログラムをインターネット上のコンピュータによって実行する場合の構成を示すブロック図である。
【図２】医療用コンテンツ提供プログラムの動作フローチャートである。
【図３】中枢神経系と末梢神経系を説明する絵の図である。
【図４】大脳の動きを説明する絵の図である。
【図５】神経のシナプスでの情報伝達を説明する絵の図である。
【図６】大脳の機能、間脳性勃起中枢、および脊髄勃起中枢を説明する絵の図である。
【図７】大脳、中脳、延髄、脊髄における信号の伝達経路を説明する絵の図である。
【図８】輸入動脈と海綿体を説明する絵の図である。
【図９】治療薬の働きを説明する絵の図である。
【図１０】第２の実施の形態におけるサーバの記憶手段に格納されている情報の模式図である。
【図１１】第２の実施の形態における動作フローチャートである。
【符号の説明】
１４  サーバ
１６  コンピュータ
１４０４  記憶手段
１６１２  ハードディスク装置
１６１８  ＣＤ−ＲＯＭ
Ｃ１  治療説明用コンテンツ
Ｃ２  病気説明用コンテンツ
【図１】
2004283316.tif 000003
【図２】
2004283316.tif 000004
【図３】
2004283316.tif 000005
【図４】
2004283316.tif 000006
【図５】
2004283316.tif 000007
【図６】
2004283316.tif 000008
【図７】
2004283316.tif 000009
【図８】
2004283316.tif 000010
【図９】
2004283316.tif 000011
【図１０】
2004283316.tif 000012
【図１１】
2004283316.tif 000013